(57)【要約】【課題】プリント基板上の隣接する異なる対の信号ライン間のクロストークを抑えるとともにインピーダンス整合を容易にすることができるコネクタを提供する。【解決手段】プリント基板に実装される第１信号端子部５１ｄを有する第１信号コンタクト５１と、プリント基板に実装される第２信号端子部５２ｄを有する第２信号コンタクト５２と、プリント基板に実装される二股状のグランド端子部６１ｄを有する第１グランドコンタクト６１と、プリント基板に実装される第２グランド端子部を有する第２グランドコンタクトとをハウジングに備える。端子部を仮想線で結ぶと四角形が形成される第１の端子部群を対の第１、第２信号端子部５１ｄ，５２ｄと二股状の第１グランド端子部６１ｄとで構成する。端子部を仮想線で結ぶと三角形が形成される第２の端子部群を対の第１、第２信号端子部と第２グランド端子部とで構成する。第１の端子部群と第２の端子部群とを所定方向Ａに沿って交互に配置する。【選択図】図６
2010244901.tif 000002
【特許請求の範囲】
【請求項１】
複数の対の信号コンタクトと複数のグランドコンタクトとそれらのコンタクトを保持するハウジングとを備えているコネクタにおいて、
前記対の信号コンタクトは、基板に実装される第１信号端子部を有する第１信号コンタクトと、前記基板に実装される第２信号端子部を有する第２信号コンタクトとで構成され、
前記複数のグランドコンタクトには、前記基板上に形成された信号ラインをまたいで前記基板に実装される二股状の第１グランド端子部を有する第１グランドコンタクトが含まれ、
前記複数の対の信号コンタクトのうちのある対の前記信号コンタクトの第１、第２信号端子部と前記第１グランドコンタクトの二股状の第１グランド端子部とで第１の端子部群が構成され、この第１の端子部群の端子部を仮想線で結ぶと四角形が形成される
ことを特徴とするコネクタ。
【請求項２】
前記複数のグランドコンタクトには、前記基板に実装される第２グランド端子部を有する第２グランドコンタクトが含まれ、
前記複数の対の信号コンタクトのうちの別の対の前記信号コンタクトの第１、第２信号端子部と前記第２グランドコンタクトの第２グランド端子部とで第２の端子部群が構成され、この第２の端子部群の端子部を仮想線で結ぶと三角形が形成され、
前記第１の端子部群と前記第２の端子部群とが、所定方向に沿って交互に配置され、
前記第１の端子部群の前記第１、第２信号端子部が、前記所定方向に沿ってほぼ一直線に並ぶことにより一方の列を構成し、
前記第２の端子部群の前記第１、第２信号端子部が、前記所定方向に沿ってほぼ一直線に並ぶことにより他方の列を構成し、
前記第１、第２の端子部群の前記第１、第２グランド端子部が、前記第１の端子部群の前記第１、第２信号端子部の前記一方の列と前記第２の端子部群の前記第１、第２信号端子部の前記他方の列とにはさまれて、前記所定方向に沿ってほぼ一直線に並んでいる
ことを特徴とする請求項１記載のコネクタ。
【請求項３】
前記複数のグランドコンタクトには、前記基板に実装される第２グランド端子部を有する第２グランドコンタクトが含まれ、
前記複数の対の信号コンタクトのうちの別の対の前記信号コンタクトの第１、第２信号端子部と前記第２グランドコンタクトの第２グランド端子部とで第２の端子部群が構成され、この第２の端子部群の端子部を仮想線で結ぶと三角形が形成され、
前記第１の端子部群と前記第２の端子部群とが、所定方向に沿って交互に配置され、
前記第１の端子部群の前記第１、第２信号端子部と前記第２の端子部群の前記第２グランド端子部とが、前記所定方向に沿ってほぼ一直線に並び、
前記第１の端子部群の前記第１グランド端子部と前記第２の端子部群の前記第１、第２信号端子部とが、前記所定方向に沿ってほぼ一直線に並んでいる
ことを特徴とする請求項１記載のコネクタ。
【発明の詳細な説明】
【技術分野】
【０００１】
この発明はコネクタに関し、特に差動信号伝送用のコネクタに関する。
【背景技術】
【０００２】
従来、信号コンタクトとグランドコンタクトとそれらのコンタクトを保持するハウジングとを備えた高速デファレンシャル信号伝送用コネクタが知られている（下記特許文献参照）。
【０００３】
信号コンタクトには、隣接配置される対の＋信号コンタクトと−信号コンタクトとが含まれる。
【０００４】
＋信号コンタクト、−信号コンタクト及びグランドコンタクトはプリント基板のスルーホールに挿入される端子部を有する。
【０００５】
＋信号コンタクト、−信号コンタクト及びグランドコンタクトの端子部が３列に並んでいる。上段には対の＋信号、−信号コンタクトの端子部が並び、中段にはグランドコンタクトの端子部が並び、下段には対の＋信号、−信号コンタクトの端子部が並ぶ。上段、下段の＋信号、−信号コンタクトの端子部はほぼ等ピッチで並ぶ。中段のグランドコンタクトの端子部は、上段、下段の＋信号、−信号コンタクトの端子部に対して、ほぼ半ピッチずれて並んでいる。
【０００６】
上段の対の＋信号、−信号コンタクトの端子部とそれらのコンタクトに近接する中段のグランドコンタクトの端子部とを仮想線で結ぶと、グランドコンタクトの端子部を頂点とする二等辺三角形が形成される。同様に、下段の対の＋信号、−信号コンタクトの端子部とそれらのコンタクトに近接する中段のグランドコンタクトの端子部とを仮想線で結ぶと、グランドコンタクトの端子部を頂点とする二等辺三角形が形成される。上述の２つの二等辺三角形のうち、一方の二等辺三角形は頂点が下方にある逆三角形であるのに対し、他方の二等辺三角形は頂点が上方にある三角形である。これらの三角形は上下方向へ少しずれた状態で左右方向へ交互に並んでいる。
【先行技術文献】
【特許文献】
【０００７】
【特許文献１】特許第３５６４５５５号公報
【発明の概要】
【発明が解決しようとする課題】
【０００８】
上述の高速デファレンシャル信号伝送用コネクタが実装されるプリント基板には、＋信号コンタクト、−信号コンタクト及びグランドコンタクトの端子部の上述のレイアウトに対応するレイアウトのスルーホールが形成されるとともに、＋信号コンタクト及び−信号コンタクトの端子部に対応するスルーホールに至る＋信号ライン及び−信号ラインが形成される。
【０００９】
プリント基板上の対の＋信号、−信号ラインは、それぞれ対応するスルーホールに向かって一定の間隔を保ちながら並行に延びる。
【００１０】
しかし、上述の高速デファレンシャル信号用伝送コネクタをプリント基板に実装すると図９に示すように、上段の対の＋信号、−信号コンタクトの端子部に対応する２つのスルーホールに至る＋信号、−信号ラインの間隔は、スルーホールに至る直前で少し広がる。
【００１１】
また、下段の対の＋信号、−信号コンタクトの端子部に対応するスルーホールに至る＋信号、−信号ラインの間隔は、スルーホールに至る直前で著しく広がる。これは下段の対の＋信号、−信号コンタクトの端子部に対応する２つのスルーホールに至る＋信号、−信号ラインと中段のグランドコンタクトの端子部に対応するスルーホールとの干渉をさけるために、＋信号ラインと−信号ラインとを引き離さなければならないからである。
【００１２】
このように、プリント基板上の対の＋信号、−信号ラインの間隔が部分的に著しく広がり、対の＋信号、−信号ラインが並行にならない範囲が大きくなる。その結果、プリント基板上の隣接する異なる対の信号ライン間でクロストークが生じやすく、インピーダンス整合も困難になる。
【００１３】
この発明は上述の事情に鑑みてなされたもので、その課題は基板上の隣接する異なる対の信号ライン間のクロストークを抑えるとともにインピーダンス整合を容易にすることができるコネクタを提供することである。
【課題を解決するための手段】
【００１４】
上述の課題を解決するため、請求項１の発明は、複数の対の信号コンタクトと複数のグランドコンタクトとそれらのコンタクトを保持するハウジングとを備えているコネクタにおいて、前記対の信号コンタクトは、基板に実装される第１信号端子部を有する第１信号コンタクトと、前記基板に実装される第２信号端子部を有する第２信号コンタクトとで構成され、前記複数のグランドコンタクトには、前記基板上に形成された信号ラインをまたいで前記基板に実装される二股状の第１グランド端子部を有する第１グランドコンタクトが含まれ、前記複数の対の信号コンタクトのうちのある対の前記信号コンタクトの第１、第２信号端子部と前記第１グランドコンタクトの二股状の第１グランド端子部とで第１の端子部群が構成され、この第１の端子部群の端子部を仮想線で結ぶと四角形が形成されることを特徴とする。
【００１５】
上述のように、複数のグランドコンタクトには、基板上に形成された対の信号ラインをまたいで基板に実装される二股状の第１グランド端子部を有する第１グランドコンタクトが含まれ、複数の対の信号コンタクトのうちのある対の信号コンタクトの第１、第２信号端子部と第１グランドコンタクトの二股状の第１グランド端子部とで第１の端子部群が構成され、この第１の端子部群の端子部を仮想線で結ぶと四角形が形成されるので、対の信号コンタクトの端子部に対応する基板の２つの信号用スルーホールに至る対の信号ラインを第１グランドコンタクトの第１グランド端子部に対応する２つのグランド用スルーホールの間に通すことができるので、対の信号ラインとグランド用スルーホールとの干渉をさけるために対の信号ラインの間隔を信号用スルーホールに至る直前で著しく広げる必要がなくなる。したがって、プリント基板上の対の信号ラインが並行にならない範囲を小さくすることができ、対の信号ラインとこれに隣接する別の対の信号ラインの信号用スルーホールとの間隔が小さくなるのを防ぐことができる。
【００１６】
請求項２の発明は、請求項１記載のコネクタにおいて、前記複数のグランドコンタクトには、前記基板に実装される第２グランド端子部を有する第２グランドコンタクトが含まれ、前記複数の対の信号コンタクトのうちの別の対の前記信号コンタクトの第１、第２信号端子部と前記第２グランドコンタクトの第２グランド端子部とで第２の端子部群が構成され、この第２の端子部群の端子部を仮想線で結ぶと三角形が形成され、前記第１の端子部群と前記第２の端子部群とが、所定方向に沿って交互に配置され、前記第１の端子部群の前記第１、第２信号端子部が、前記所定方向に沿ってほぼ一直線に並ぶことにより一方の列を構成し、前記第２の端子部群の前記第１、第２信号端子部が、前記所定方向に沿ってほぼ一直線に並ぶことにより他方の列を構成し、前記第１、第２の端子部群の前記第１、第２グランド端子部が、前記第１の端子部群の前記第１、第２信号端子部の前記一方の列と前記第２の端子部群の前記第１、第２信号端子部の前記他方の列とにはさまれて、前記所定方向に沿ってほぼ一直線に並んでいることを特徴とする。
【００１７】
請求項３の発明は、請求項１記載のコネクタにおいて、前記複数のグランドコンタクトには、前記基板に実装される第２グランド端子部を有する第２グランドコンタクトが含まれ、前記複数の対の信号コンタクトのうちの別の対の前記信号コンタクトの第１、第２信号端子部と前記第２グランドコンタクトの第２グランド端子部とで第２の端子部群が構成され、この第２の端子部群の端子部を仮想線で結ぶと三角形が形成され、前記第１の端子部群と前記第２の端子部群とが、所定方向に沿って交互に配置され、前記第１の端子部群の前記第１、第２信号端子部と前記第２の端子部群の前記第２グランド端子部とが、前記所定方向に沿ってほぼ一直線に並び、前記第１の端子部群の前記第１グランド端子部と前記第２の端子部群の前記第１、第２信号端子部とが、前記所定方向に沿ってほぼ一直線に並んでいることを特徴とする。
【発明の効果】
【００１８】
この発明によれば、基板上の隣接する異なる対の信号ライン間のクロストークを抑えるとともにインピーダンス整合を容易にすることができる。
【図面の簡単な説明】
【００１９】
【図１】図１はこの発明の第１実施形態のコネクタの正面側からの斜視図である。
【図２】図２は図１に示すコネクタの背面側からの斜視図である。
【図３】図３は図１に示すコネクタの正面図である。
【図４】図４は図１に示すコネクタの底面図である。
【図５】図５は図１に示すコネクタの右側面図である。
【図６】図６は図１に示すコネクタの第１、第２信号コンタクト及び第１グランドコンタクトの斜視図である。
【図７】図７は図１に示すコネクタの第１、第２信号コンタクト及び第２グランドコンタクトの斜視図である。
【図８】図８は図１に示すコネクタの第１、第２の端子部群の配置とプリント基板のスルーホール及び信号ラインの配置とを示す概念図である。
【図９】図９は比較例のコネクタの第１、第２の端子部群の配置とプリント基板のスルーホール及び信号ラインの配置とを示す概念図である。
【図１０】図１０は第２実施形態のコネクタの第１、第２の端子部群の配置とプリント基板のスルーホール及び信号ラインの配置とを示す概念図である。
【発明を実施するための形態】
【００２０】
以下、この発明の実施の形態を図面に基づいて説明する。
【００２１】
図１、図２に示すように、コネクタ１はハウジング３と複数の対の信号コンタクト（図６、図７参照）５とグランドコンタクト６とロケータ９とを備える。
【００２２】
ハウジング３は例えば樹脂で形成されている。図２〜図４に示すように、ハウジング３は底板部３１と後壁部３２と保持部３４とを有する。底板部３１は板状である。後壁部３２は底板部３１の後部に連なる。後壁部３２には所定間隔に複数の貫通孔（図示せず）が形成されている。この貫通孔は保持部３４の後述する溝３４ａに通じている。保持部３４はほぼ板状であり、底板部３１と平行である。保持部３４の上面及び下面には等間隔に複数の溝３４ａが形成されている（図３参照）。溝３４ａはコネクタ１の相手側コネクタ（図示せず）に対する嵌合・離脱方向Ｄ（図４、図５参照）へ延びている。
【００２３】
図６、図７に示すように、対の信号コンタクト５は第１信号コンタクト５１と第２信号コンタクト５２とで構成されている。対の信号コンタクト５´は第１信号コンタクト５１´と第２信号コンタクト５２´とで構成されている。グランドコンタクト６は第１グランドコンタクト６１と第２グランドコンタクト６２とを含んでいる。第１信号コンタクト５１と第２信号コンタクト５２と第１グランドコンタクト６１とで第１のセットが構成され、第１信号コンタクト５１´と第２信号コンタクト５２´と第２グランドコンタクト６２とで第２のセットが構成される。
【００２４】
対の信号コンタクト５の第１信号コンタクト５１はほぼＬ字形であり、接触部５１ａと連結部５１ｃと端子部（第１信号端子部）５１ｄとを有し、弾性を有する金属板に打抜き加工及び曲げ加工を施すことによって形成されている。接触部５１ａは図示しない相手側コネクタの相手側コンタクトに接触する。接触部５１ａは保持部３４の溝３４ａに圧入され、保持されている。連結部５１ｃは接触部５１ａと端子部５１ｄとを連結する。連結部５１ｃは端子部５１ｄの配置変換の機能を有し、端子部５１ｄの位置を接触部５１ａに対して対の信号コンタクト５の配列方向（所定方向）Ａ（図４、図８参照）へずらす。端子部５１ｄはプリント基板（基板）２１の信号用のスルーホール２１ａに挿入され（図８参照）、半田付けされる。
【００２５】
対の信号コンタクト５の第２信号コンタクト５２はほぼＬ字形であり、接触部５２ａと連結部５２ｃと端子部（第２信号端子部）５２ｄとを有し、弾性を有する金属板に打抜き加工及び曲げ加工を施すことによって形成されている。接触部５２ａは図示しない相手側コネクタの相手側コンタクトに接触する。接触部５２ａは保持部３４の溝３４ａに圧入され、保持されている。連結部５２ｃは接触部５２ａと端子部５２ｄとを連結する。連結部５２ｃは端子部５２ｄの配置変換の機能を有し、端子部５２ｄの位置を接触部５２ａに対して対の信号コンタクト５の配列方向Ａ（図４、図８参照）へずらす。端子部５１ｄ，５２ｄ間の距離は接触部５１ａ，５２ａ間の距離よりも大きい。端子部５２ｄはプリント基板２１の信号用のスルーホール２１ａに挿入され（図８参照）、半田付けされる。
【００２６】
対の信号コンタクト５´の第１信号コンタクト５１´はほぼＬ字形であり、接触部５１ａ´と連結部５１ｃ´と端子部（第１信号端子部）５１ｄ´とを有し、弾性を有する金属板に打抜き加工及び曲げ加工を施すことによって形成されている。接触部５１ａ´は図示しない相手側コネクタの相手側コンタクトに接触する。接触部５１ａ´は保持部３４の溝３４ａに圧入され、保持されている。連結部５１ｃ´は接触部５１ａ´と端子部５１ｄ´とを連結する。端子部５１ｄ´はプリント基板２１の信号用のスルーホール２１ａに挿入され（図８参照）、半田付けされる。
【００２７】
対の信号コンタクト５´の第２信号コンタクト５２´はほぼＬ字形であり、接触部５２ａ´と連結部５２ｃ´と端子部（第２信号端子部）５２ｄ´とを有し、弾性を有する金属板に打抜き加工及び曲げ加工を施すことによって形成されている。接触部５２ａ´は図示しない相手側コネクタの相手側コンタクトに接触する。接触部５２ａ´は保持部３４の溝３４ａに圧入され、保持されている。連結部５２ｃ´は接触部５２ａ´と端子部５２ｄ´とを連結する。端子部５２ｄ´はプリント基板２１の信号用のスルーホール２１ａに挿入され（図８参照）、半田付けされる。
【００２８】
図６に示すように、第１グランドコンタクト６１はほぼＬ字形であり、接触部６１ａと連結部６１ｃと二股状の端子部（第１グランド端子部）６１ｄとを有し、弾性を有する金属板に打抜き加工及び曲げ加工を施すことによって形成されている。接触部６１ａは図示しない相手側コネクタの相手側コンタクトに接触する。接触部６１ａは保持部３４の溝３４aに圧入されている。連結部６１ｃは接触部６１ａと端子部６１ｄとを連結する。二股状の端子部６１ｄはそれぞれプリント基板２１のスルーホール２１ｂに挿入され、半田付けされる（図８参照）。
【００２９】
図７に示すように、第２グランドコンタクト６２はほぼＬ字形であり、接触部６２ａと連結部６２ｃと端子部（第２グランド端子部）６２ｄとを有し、弾性を有する金属板に打抜き加工及び曲げ加工を施すことによって形成されている。接触部６２ａは図示しない相手側コネクタの相手側コンタクトに接触する。接触部６２ａは保持部３４の溝３４aに圧入される。連結部６２ｃは接触部６２ａと端子部６２ｄとを連結する。端子部６２ｄはプリント基板２１のスルーホール２１ｂに挿入され、半田付けされる（図８参照）。
【００３０】
第１信号コンタクト５１と第２信号コンタクト５２と第１グランドコンタクト６１とで第１のコンタクト群Ｃ１が構成される（図６参照）。第１信号コンタクト５１´と第２信号コンタクト５２´と第２のグランドコンタクト６２とで第２コンタクト群Ｃ２が構成される（図７参照）。
【００３１】
シェル７は金属製であり、導電性を有し、図１〜図５に示すように、脚片７ａと接触片７ｂとロック片７ｃとを有する。脚片７ａはプリント基板２１の脚片７ａ用のスルーホール（図示せず）に半田付けされ、接地される。接触片７ｂはシェル７の側面に形成され、相手側コネクタの相手側シェル（図示せず）に接触する。ロック片７ｃはシェル７の上面と下面とに形成されている。ロック片７ｃは相手側コネクタの相手側シェルに係合し、シェル７に相手側シェルがロックされる。
【００３２】
ロケータ９はほぼ板状であり、ハウジング３に固定される。ロケータ９は複数の貫通孔９ａを有する（図２参照）。貫通孔９ａには、対の信号コンタクト５，５´や第１、第２グランドコンタクト６１，６２が通される。ロケータ９は位置決めピン９ｂを有する。位置決めピン９ｂはプリント基板２１に形成された位置決め孔（図示せず）に挿入される。位置決めピン９ｂがプリント基板２１の位置決め孔に挿入されると、コネクタ１はプリント基板２１の所定位置に位置決めされる。
【００３３】
図６に示す第１のコンタクト群Ｃ１の端子部５１ｄ，５２ｄ，６１ｄ，６１ｄで第１の端子部群Ｔ１が構成され、端子部５１ｄ，５２ｄ，６１ｄ，６１ｄを仮想線で結ぶと、四角形が形成される（図８参照）。図７に示す第２のコンタクト群Ｃ２の端子部５１ｄ´，５２ｄ´，６２ｄで第２の端子部群Ｔ２が構成され、端子部５１ｄ´，５２ｄ´，６２ｄを仮想線で結ぶと、三角形が形成される（図８参照）。第１の端子部群Ｔ１と第２の端子部群Ｔ２とは配列方向Ａに沿って交互に配置されている（図８参照）。
【００３４】
図８に示すように、プリント基板２１には、複数の信号用のスルーホール２１ａが配列方向Ａに沿って２列に形成されている。２つのスルーホール２１ａの列の間に、複数のグランド用のスルーホール２１ｂが配列方向Ａに沿って１列に形成されている。第１列（図８の最も下の列）のスルーホール２１ａには第１の端子部群Ｔ１の端子部５１ｄ，５２ｄが、第２列（図８の中央の列）のスルーホール２１ｂには第１、第２の端子部群Ｔ１，Ｔ２の端子部６１ｄ，６２ｄが、第３列（図８の最も上の列）のスルーホール２１ａには第２の端子部群Ｔ２の端子部５１ｄ´，５２ｄ´が、それぞれ挿入される。信号用のスルーホール２１ａには信号ラインＳＬが接続されている。
【００３５】
２つのスルーホール２１ｂに接続された２つの端子部６１ｄは２つの信号ラインＳＬを２つのスルーホール２１ｂの間に通すことができるので、２つの信号ラインＳＬの並行に延びる部分（２つの信号ラインＳＬが互いに接近している部分）ＳＬａをスルーホール２１ａの間近まで延ばすことができる。
【００３６】
第１グランドコンタクトの端子部が二股状でない比較例を図９に示す。図９に示す比較例では、第１グランドコンタクトの端子部が二股状でないので、第１の端子部群Ｔ１´の端子部の数は３である。第１の端子部群Ｔ１´の端子部５１ｄ´，５２ｄ´はプリント基板２１´のスルーホール２１ａ´に挿入されている。第１の端子部群Ｔ１´の端子部６１ｄ´はプリント基板２１´のスルーホール２１ｂ´に挿入されている。第２の端子部群Ｔ２´は図８に示す第１の端子部群Ｔ２とほぼ同じであり、端子部５１ｄ´，５２ｄ´はスルーホール２１ａ´に、端子部６２ｄ´はスルーホール２１ｂ´にそれぞれ挿入され、接続されている。
【００３７】
この比較例では、第１の端子部群Ｔ１´の端子部５１ｄ´，５２ｄ´が挿入されたスルーホール２１ａ´に接続された２つの信号ラインＳＬ´は、第１の端子部群Ｔ１´の端子部６１ｄ´が挿入されたスルーホール２１ｂ´を迂回するために、スルーホール２１ａ´のかなり手前から互いに離れる。このため、２つの信号ラインＳＬの並行でない部分（２つの信号ラインＳＬ´が互いに接近していない部分）ＳＬｂ´が図８に示す２つの信号ラインＳＬの並行でない部分ＳＬｂに比べて長くなる。その結果、クロストークが発生し易くなり、インピーダンス整合を行い難くなる。
【００３８】
この実施形態によれば、プリント基板２１の信号ラインＳＬの並行でない部分ＳＬｂを短くすることができるので、プリント基板２１上の第１の端子部群Ｔ１の端子部５１ｄ，５２ｄの並行でない部分ＳＬｂと隣接する第２の端子部群Ｔ２の５１ｄ´，５２ｄ´の並行でない部分ＳＬｂとをほぼ同一形状に形成でき、第１の端子部群Ｔ１の信号ラインＳＬと第２の端子部群Ｔ２の信号ラインＳＬとの間のクロストークを抑制することができる。
【００３９】
また、信号ラインＳＬのスルーホール２１ａに隣接する部分の範囲をほぼ同じ形状にすることができるので、インピーダンス整合をしやすい。
【００４０】
図１０は第２実施形態のコネクタの第１、第２の端子部群の配置とプリント基板のスルーホール及び信号ラインの配置とを示す概念図である。
【００４１】
第１実施形態と共通する部分については同一符号を付してその説明を省略する。以下、第１実施形態との主な相違部分についてだけ説明する。
【００４２】
第２実施形態では、第１の端子群Ｔ１と第２の端子群Ｔ２とを配列方向Ａに沿って交互に配置し、第１の端子部群Ｔ１の第１、第２端子部５１ｄ，５２ｄと第２の端子部群Ｔ２の端子部６２ｄとをほぼ一直線上に並べ、第２の端子部群Ｔ２の第１、第２端子部５１ｄ´，５２ｄ´と第１の端子部群Ｔ１の端子部６１ｄとをほぼ一直線上に並べた。
【００４３】
この第２実施形態によれば、第１実施形態と同様の効果を奏する。
【００４４】
なお、第１、第２の端子部群Ｔ１，Ｔ２の端子部５１ｄ，５２ｄ，６１ｄ，５１ｄ´，５２ｄ´，６２ｄの配置は第１、第２実施形態のものに限られない。
【符号の説明】
【００４５】
１  コネクタ
３  ハウジング
５，５´  対の信号コンタクト
５１，５１´  第１信号コンタクト
５１ｄ，５１ｄ´  端子部（第１端子部）
５２，５２´  第２信号コンタクト
５２ｄ，５２ｄ´  端子部（第２端子部）
６  グランドコンタクト
６１  第１グランドコンタクト
６１ｄ  端子部（第１グランド用端子部）
６２  第２グランドコンタクト
６２ｄ  端子部（第２グランド端子部）
Ａ  配列方向（所定方向）
Ｔ１  第１の端子部群
Ｔ２  第２の端子部群
【図１】
2010244901.tif 000003
【図２】
2010244901.tif 000004
【図３】
2010244901.tif 000005
【図４】
2010244901.tif 000006
【図５】
2010244901.tif 000007
【図６】
2010244901.tif 000008
【図７】
2010244901.tif 000009
【図８】
2010244901.tif 000010
【図９】
2010244901.tif 000011
【図１０】
2010244901.tif 000012